(57)【要約】      （修正有）【課題】骨材の表面水率測定における、測定の迅速化、高精度化およびチャップマンフラスコの破損防止を図る骨材の表面水率測定具を提供する。【解決手段】チャップマンフラスコの上部開口に着脱可能に取り付け可能なロート２であって、取付部２ａを有し、当該取付部は、上記チャップマンフラスコの挿入口の周辺壁外側を取り囲む嵌合可能な形状を有し、当該ロート最上部近傍の外径は、上記チャップマンフラスコの最大径よりも大きいことを特徴とするものである。また、脚支持部３は、チャップマンフラスコの脚の径よりも大きな外形形状を有し、略中央部にチャップマンフラスコの脚を挿入可能な略円形の開口３ａを有し、開口の内壁に沿って周上にＵ字状の溝３ｂが設けられ、該Ｕ字状の溝の最深部の内径は上記チャップマンフラスコの脚の径と略同径である。【選択図】図２
0003216565.tif 000002
【実用新案登録請求の範囲】
【請求項１】
チャップマンフラスコの上部開口である挿入口に着脱可能に取り付け可能なロートであって、
取付部を有し、
当該取付部は、上記チャップマンフラスコの挿入口の周辺壁外側を取り囲む嵌合可能な形状を有し、
当該ロート最上部近傍の外径は、上記チャップマンフラスコの最大径よりも大きい
ことを特徴とするチャップマンフラスコ用のロート。
【請求項２】
エストラマ―で構成される
ことを特徴とする請求項１に記載のチャップマンフラスコ用のロート。
【請求項３】
チャップマンフラスコの脚に着脱可能に取り付け可能な脚支持部であって、
上記チャップマンフラスコの脚の径よりも大きな外形形状を有し、
略中央部に上記チャップマンフラスコの脚を挿入可能な略円形の開口を有し、
当該開口の内壁に沿って周上にＵ字状の溝が設けられ、
当該Ｕ字状の溝の最深部の内径は上記チャップマンフラスコの脚の径と略同径である
ことを特徴とするチャップマンフラスコ用の脚支持部。
【請求項４】
チャップマンフラスコと、
請求項１または２に記載のチャップマンフラスコ用のロートと、
請求項３に記載のチャップマンフラスコ用の脚支持部と、
を備えた骨材の表面水率測定具。
【考案の詳細な説明】
【技術分野】
【０００１】
本考案は、チャップマンフラスコに用いるロート、および脚支持部に関するものである。また、それらをチャップマンフラスコに取り付けた骨材の表面水率測定具に関するものであり、主に、ＪＩＳ：Ａ１１１１に定める細骨材の表面水率を求める機能を有するものである。
【背景技術】
【０００２】
モルタルの吹付やコンクリートの吹付を行う前に必要なのが砂の表面水率試験である。砂利や砂など（骨材）の表面に付いている水分、および内部に含まれている水分の量を精度良く測定することで、例えば、モルタルと骨材とを正確な割合で混合できる。具体的には、ＪＩＳ：Ａ１１１１によって規定されている細骨材表面水率試験方法によって行われる。
【０００３】
この砂の表面水率試験において、チャップマンフラスコが使用される。
まず、チャップマンフラスコに、例えば２００ｃｃの水を入れ、そこに５００ｇの骨材を入れる。骨材をチャップマンフラスコに入れる際にはロートが用いられる。ロート上の骨材を棒で突き、チャップマンフラスコ内に落とし込む。そして、フラスコ内を細い棒等で攪拌し、骨材がチャップマンフラスコの底部に沈降した後、フラスコの目盛りを読むという作業が必要である。
【０００４】
この測定においては、いくつかの問題点があった。
第一に、ロートのの注出口が小さいため、、骨材を棒で突き、チャップマンフラスコ内にすべての骨材を完全に落とし込む作業に時間が掛かっていた。また、フラスコ内を細い棒等で攪拌することも容易ではなかった。
第二に、ロートはチャップマンフラスコの上部開口部内に挿入しているだけなので、チャップマンフラスコ内にすべての骨材を完全に落とし込む作業の際に、ロートの角度が斜めになり、流し込んだ骨材がチャップマンフラスコの側壁に付着して、測定に誤差が生じてしまうという問題もあった。
第三に、チャップマンフラスコは底部の面積に比べて高さが高く、また、ガラス工作精度の問題で、底部の平坦性が完全ではない物が多い。そのため、不安定であり、骨材を採集した現場ではしっかりと直立させ、精度良く目盛りを読むことが困難な場合があった。
また、チャップマンフラスコは薄いガラス製であり、且つ縦に長いため転倒しやすく、割れやすいという問題もある。特に、現場での測定になるため、実験室で行う際に比べると、不安定な環境であり、チャップマンフラスコを倒して破損するといったことが頻繁に起こっていた。
【０００５】
第一の課題を解決するため、新たな工夫が提案されている。細骨材Ｑを投入するチャップマンフラスコＰの上部開口部の内径に比して僅かに小さい口径の流出用開口部４を漏斗１下部に形成し、チャップマンフラスコＰの上部開口部内に流出用開口部４を嵌挿して漏斗１自体を保持固定できるようにする。漏斗１の内底部側から流出用開口部４を塞ぐようにした栓体１１を設けて流出用開口部４を塞栓した状態で漏斗１内に細骨材Ｑを投入するようにする。栓体１１は、ロッド状の把手部１２の先端に流出用開口部４を塞ぐ程度の大きさの栓部１３を設け、該栓部１３は漏斗１内への細骨材Ｑの投入中に浮き上がらない程度に重量性を付与する。また、漏斗１を例えば重量計Ｒ等に載置セットするための架台２１を設ける。このようにすることで、漏斗からチャップマンフラスコ内に試料を投入するのに要する時間を節減し、作業中に漏斗から試料を跳ね飛ばしたり、こぼしてしまったりすることなく一連の試験作業を簡単、迅速で且つ確実に行なうことが可能になる（例えば、特許文献１）。
【先行技術文献】
【特許文献】
【０００６】
【特許文献１】実用新案登録第３０４６６５７号
【考案の概要】
【考案が解決しようとする課題】
【０００７】
特許文献１に示されたチャップマンフラスコを用いた測定法においては、作業中に漏斗から試料を跳ね飛ばしたり、こぼしてしまったりすることなく一連の試験作業を簡単、迅速で且つ確実に行なうことができ、また漏斗からチャップマンフラスコ内に投入させるのに要する時間を節減して迅速な試験作業が遂行できるという特長が得られる。
【０００８】
しかし、上記に示した第二および第三の課題を解決できるものではなかった。
【０００９】
本考案は上記に示した３つの課題すべてを解決するためになされたものであり、測定作業を従来に比べて迅速に行うことが可能で、且つ高精度であり、チャップマンフラスコの破損を防止できるチャップマンフラスコに用いるロート、および脚支持部を提供するものである。
【課題を解決するための手段】
【００１０】
請求項１に係るチャップマンフラスコに用いるロートは、
チャップマンフラスコの上部開口に着脱可能に取り付け可能なロートであって、
取付部を有し、
当該取付部は、上記チャップマンフラスコの挿入口の周辺壁外側を取り囲む嵌合可能な形状を有し、
当該ロート最上部近傍の外径は、上記チャップマンフラスコの最大径よりも大きい
ことを特徴とするものである。
【００１１】
請求項２に係るチャップマンフラスコ用のロートは、エストラマ―で構成される
ことを特徴とするものである。
【００１２】
請求項３に係るチャップマンフラスコ用の脚支持部は、
チャップマンフラスコの脚に着脱可能に取り付け可能な脚支持部であって、
上記チャップマンフラスコの脚の径よりも大きな外形形状を有し、
略中央部に上記チャップマンフラスコの脚を挿入可能な略円形の開口を有し、
当該開口の内壁に沿って周上にＵ字状の溝が設けられ、
当該Ｕ字状の溝の最深部の内径は上記チャップマンフラスコの脚の径と略同径である
ことを特徴とするものである。
【００１３】
請求項４に係る骨材の表面水率測定具は、
チャップマンフラスコと、
請求項１または２に記載のチャップマンフラスコ用のロートと、
請求項３に記載のチャップマンフラスコ用の脚支持部と、
を備えたものである。
【考案の効果】
【００１４】
骨材の表面水率をチャップマンフラスコで測定することに比べ、本考案において設計したチャップマンフラスコ用のロートおよび脚支持部を取付けることにより、多くの特長が生じる。以下に、その特長を列挙する。
【００１５】
第１に、測定が容易且つ迅速に行える。
ロート２の取付部は、チャップマンフラスコの挿入口の周辺壁外側を取り囲むような嵌合可能な形状であり、チャップマンフラスコの挿入口の全開口面積をそのまま挿入面積として使用できるため、骨材をチャップマンフラスコに入れやすく、且つ攪拌しやすい。したがって、骨材が沈降するまで作業時間を短縮できる。
【００１６】
第２に、測定精度が向上する。
骨材がチャップマンフラスコに付着しにくく、ほぼすべての骨材を沈降させることが可能である。
また、脚支持部を設けたため、平坦性が向上し、さらに安定した状態で目盛りを読むことができるようになった。例えば、現場における作業では風がチャップマンフラスコ当たることもあるが、そのような環境下でも安定して測定を行える。
【００１７】
第３に、チャップマンフラスコの破損を防止できる。
チャップマンフラスコは薄いガラス製であるため、倒れただけで、ひびが入ったり割れたりしてしまう。また、縦長であるため転倒しやすい。しかし、脚支持部を設けたため、倒れにくくなった。もし、倒れた場合でも、ロートが先に接地面に着くため、チャップマンフラスコが直接衝撃を受けず、破損のリスクは大きく低減される。
【図面の簡単な説明】
【００１８】
【図１】本考案に用いるチャップマンフラスコの側面図である。
【図２】本考案のチャップマンフラスコ用のロートと脚支持部の斜視図である。
【図３】本考案の骨材の表面水率測定具の側面図である。
【図４】本考案のチャップマンフラスコ用のロートの取付部付近の部分断面図である。
【図５】本考案の骨材の表面水率測定具が倒れた際の様子を示す側面図である。
【図６】本考案のチャップマンフラスコ用の脚支持部付近の部分断面図である。
【考案を実施するための形態】
【００１９】
実施の形態．
本考案に係るチャップマンフラスコに用いるロート、および脚支持部、およびそれらを備えた骨材の表面水率測定具構成および、特長等について、以下に図を用いて説明する。なお、以下の説明は本考案に関する良好な一例を開示するものであり、本考案が当該実施の形態に限定されるものではない。
なお、以下に説明する表面水率測定具は、主に、ＪＩＳ：Ａ１１１１に定める細骨材の表面水率を求める機能を有するものである。例えば、骨材の内、１０ｍｍふるいをすべて通過し、５ｍｍ以下のものが重量で８５％以上含まれる骨材を対象としている。
【００２０】
＜チャップマンフラスコ＞
図１は、チャップマンフラスコ１の側面図である。チャップマンフラスコ１は、最上部に水や骨材を入れるための上部開口である挿入口１ａ、および、最下部に脚１ｂを備えている。フラスコであるため、熱衝撃に対する耐性を持たすために、非常に薄いガラスでできている。
【００２１】
図２は、チャップマンフラスコ用のロート２と脚支持部３の斜視図である。
図３は、チャップマンフラスコ１の挿入口１ａにロート２を、脚１ｂに脚支持部３を取り付けた骨材の表面水率測定具の側面図である。
【００２２】
＜ロート＞
図３において点線Ａで囲まれたロート２の取付部２ａ付近の部分断面図を図４に示す。
ロート２は、取付部２ａによりチャップマンフラスコ１の挿入口１ａに着脱可能に取り付け可能である。取付部２ａは、チャップマンフラスコ１の挿入口１ａの周辺壁外側を取り囲む嵌合可能な形状を有している。
【００２３】
ロートは弾性を有する柔らかなエストラマ―等で形成されることが望ましいが、ある程度の剛性を持つ樹脂であっても良い。また、取付部２ａは、チャップマンフラスコ１の挿入口１ａの周辺壁外側を取り囲むような嵌合可能な形状であり、チャップマンフラスコ１の挿入口１ａの全開口面積をそのまま挿入面積として使用できるため、骨材や水を入れやすくなっている。
また、ロート２の最上部近傍の外径は、チャップマンフラスコ１の最も太い箇所の外径よりも大きくしている、そのため、図４のようにチャップマンフラスコ１が転倒しても、ロート２がクッションとなり転倒の衝撃を吸収するため、ガラス製のチャップマンフラスコ１が割れる危険性を極めて小さくできる。
【００２４】
＜脚支持部＞
図３において点線Ｂで囲まれた脚支持部３付近の部分断面図を図６に示す。
脚支持部３は、チャップマンフラスコ１の脚１ｂに着脱可能に取り付け可能である。そして、チャップマンフラスコ１の脚１ｂの径よりも大きな外形形状を有し、略中央部に上記チャップマンフラスコ１の脚１ｂを挿入可能な略円形の開口３ａを有し、当該開口３ａの内壁に沿って周上にＵ字状の溝３ｂが設けられ、当該Ｕ字状の溝３ｂの最深部の内径は上記チャップマンフラスコ１の脚１ｂの径と略同径である。
【００２５】
脚支持部３は、チャップマンフラスコ１やその中の骨材や水の重量を支える必要があるため、やや硬めの剛性の大きな樹脂等が望ましい。剛性の大きな樹脂等であっても、ある程度の弾性を有するため、チャップマンフラスコ１の脚１ｂをＵ字状の溝３ｂに挿入することができる。
なお、溝３ｂはＵ字状の溝が望ましいが、Ｃ字状や四角溝であっても良い。チャップマンフラスコ１の脚１ｂの形状にフィットする形状が最適である。
また、脚支持部３は成型等で高精度に作製できるため、ガラス工作で作製されるチャップマンフラスコ１の脚１ｂの底部に比べると、脚支持部３の底部は非常にフラットな状態にできる。
なお、縦に長いチャップマンフラスコ１をより安定に直立させるためには、例えば、脚が大きく外へ張り出した５本脚仕様とするのが良い。このようにすることで下部の安定性が増し、転倒の危険性を大幅に軽減できる。
【００２６】
＜使用例＞
チャップマンフラスコ１の挿入口１ａにロート２を、チャップマンフラスコ１の脚１ｂに脚支持部３を取り付け、平坦な場所に立てる。そして、ロート２から水を、次に骨材を入れる。上述したように、ロート２の取付部２ａは、チャップマンフラスコ１の挿入口１ａの周辺壁外側を取り囲むような嵌合可能な形状であり、チャップマンフラスコ１の挿入口１ａの全開口面積をそのまま挿入面積として使用できるため、骨材がチャップマンフラスコ１内に落ちやすくなっている。
【００２７】
さらに、ロート２は、取付部２ａによりしっかりとチャップマンフラスコ１の挿入口１ａの周辺壁に固定されてるため、骨材を入れた際にも動くことは無く、したがって、骨材は真っすぐに落ちるため、チャップマンフラスコ１の側壁に付着することもない。
骨材を入れた後、細い棒等で攪拌する。この際にも、チャップマンフラスコ１の挿入口１ａの全開口面積をそのまま挿入面積として使用できるため、攪拌しやすい。
【００２８】
攪拌後、骨材が十分に沈降したら、水の最上部のチャップマンフラスコ１の目盛りを読む。チャップマンフラスコ１は外形の大きな脚支持部３によって安定に支持され、且つ平坦性も高い。したがって、安定した状態で精度良く目盛りを読むことができる。
【００２９】
測定が終了したら、水や骨材を取り出すが、その際にも、チャップマンフラスコ１の挿入口１ａの全開口面積をそのまま挿入面積として使用できるため、わざわざロート２を外す必要がない。
【００３０】
＜本考案のまとめ＞
骨材の表面水率をチャップマンフラスコで測定することに比べ、上記で説明したロートおよび脚支持部を取付けることにより、多くの特長が生じる。以下に、その特長を列挙する。
【００３１】
第１に、測定が容易且つ迅速に行える。
ロート２の取付部２ａは、チャップマンフラスコ１の挿入口１ａの周辺壁外側を取り囲むような嵌合可能な形状であり、チャップマンフラスコ１の挿入口１ａの全開口面積をそのまま挿入面積として使用できるため、骨材をチャップマンフラスコに入れやすく、且つ攪拌しやすい。したがって、骨材が沈降するまで作業時間を短縮できる。
【００３２】
第２に、測定精度が向上する。
骨材がチャップマンフラスコに付着しにくく、ほぼすべての骨材を沈降させることが可能である。
また、脚支持部を設けたため、平坦性が向上し、さらに安定した状態で目盛りを読むことができるようになった。例えば、現場における作業では風がチャップマンフラスコ当たることもあるが、そのような環境下でも安定して測定を行える。
【００３３】
第３に、チャップマンフラスコの破損を防止できる。
チャップマンフラスコは薄いガラス製であるため、倒れただけで、ひびが入ったり割れたりしてしまう。また、縦長であるため転倒しやすい。しかし、脚支持部を設けたため、倒れにくくなった。もし、倒れた場合でも、ロートが先に接地面に着くため、チャップマンフラスコが直接衝撃を受けず、破損のリスクは大きく低減される。
【符号の説明】
【００３４】
１  チャップマンフラスコ
１ａ  挿入口
１ｂ  脚
２  ロート
２ａ  取付部
３  脚支持部
【図１】
0003216565.tif 000003
【図２】
0003216565.tif 000004
【図３】
0003216565.tif 000005
【図４】
0003216565.tif 000006
【図５】
0003216565.tif 000007
【図６】
0003216565.tif 000008